(57)【要約】      （修正有）【課題】ガスレンジに炎が存在する状態で人が円滑に作業できるとともに信頼性の更なる向上を図ることが可能なガスレンジ制御システムを提供する。【解決手段】ガスレンジの炎の存否を感知して炎感知信号を出力する炎センサ１０と、マイクロ波を用いてガスレンジ周辺の人の存否を感知して人感信号を出力する人感センサ２０と、人感信号に基づいて人の不在時間を計測するタイマー６０と、不在時間に基づいて警告を出力する警告部７０と、炎の存在を感知した状態で不在時間が第１設定時間を超えたときに警告を出力するとともに、第１設定時間より長い第２設定時間を超えたときにガスレンジへのガスの供給を停止するガスレンジ制御装置３０と、を備えている。【選択図】図１
0003219602.tif 000002
【実用新案登録請求の範囲】
【請求項１】
ガスレンジの炎の存否を感知して炎感知信号を出力する炎センサと、
マイクロ波を用いて前記ガスレンジ周辺の人の存否を感知して人感信号を出力する人感センサと、
前記人感信号に基づいて前記人の不在時間を計測するタイマーと、
前記不在時間に基づいて警告を出力する警告部と、
前記炎の存在を感知した状態で前記不在時間が第１設定時間を超えたときに前記警告を出力するとともに、前記第１設定時間より長い第２設定時間を超えたときに前記ガスレンジへのガスの供給を停止する制御装置と、
を備えていることを特徴とするガスレンジ制御システム。
【請求項２】
前記炎センサと前記人感センサと前記タイマーと前記警告部と前記制御装置とが筐体に収容されて一体化されていることを特徴とする請求項１に記載のガスレンジ制御システム。
【考案の詳細な説明】
【技術分野】
【０００１】
本考案は、ガスレンジ制御システムに関し、特に、ガスレンジ周辺の人が不在状態で発生する出火を未然に防ぐためのガスレンジ制御システムに関する。
【背景技術】
【０００２】
従来、家庭用、業務用を問わず、ガスレンジからの出火を防止するために種々のシステムが提案されている。
例えば、特許文献１では、炎センサと人感センサとをガスレンジ近傍に設置し、炎が感知された状態で人が感知されなくなると、ガスレンジへのガスの供給が停止されるように構成されたガスレンジ制御システムが提案されている。
【０００３】
また、特許文献２では、炎感知センサと人体検知センサとでガスレンジの炎と作業員とを監視し、動作および不動作の時間差を計算して、警報装置で音を発生させて周囲に知らせるようにした警報装置付きキッチンタイマーが提案されている。
これらの装置ではガスレンジなどに火をつけたまま作業人が不在状態になることで火災事故等が発生することを防止している。
【先行技術文献】
【特許文献】
【０００４】
【特許文献１】実用新案登録第３１６８６２２号公報
【特許文献２】特開２００１−１３４８６７号公報
【考案の概要】
【考案が解決しようとする課題】
【０００５】
しかしながら、従来のガスレンジの出火を防止するシステムでは、ガスレンジ周辺で作業する人が、その作業上の必要によりガスレンジ周辺からずれた位置に移動したり、離間した位置に短時間移動して戻ったりしたような場合に、ガスレンジへのガスの供給が遮断されることがあった。またガスレンジ周辺の人が長時間不在状態でも検出されないような誤動作が生じることもあり、信頼性についての更なる改善が望まれていた。
【０００６】
本考案は、上記問題点に鑑みてなされたものであり、ガスレンジに炎が存在する状態で人が円滑に作業できるとともに信頼性の更なる向上を図ることが可能なガスレンジ制御システムを提供することを目的とする。
【課題を解決するための手段】
【０００７】
かかる目的を達成するため、本考案におけるガスレンジ制御システムは、ガスレンジの炎の存否を感知して炎感知信号を出力する炎センサと、マイクロ波を用いてガスレンジ周辺の人の存否を感知して人感信号を出力する人感センサと、人感信号に基づいて人の不在時間を計測するタイマーと、不在時間に基づいて警告を出力する警告部と、炎の存在を感知した状態で不在時間が第１設定時間を超えたときに警告を出力するとともに、第１設定時間より長い第２設定時間を超えたときにガスレンジへのガスの供給を停止する制御装置と、を備えていることを特徴とする。
【０００８】
また、本考案におけるガスレンジ制御システムは、炎センサと人感センサとタイマーと警告部と制御装置とが筐体に収容されて一体化されていることを特徴とする。
【考案の効果】
【０００９】
本考案のガスレンジ制御システムによれば、人感センサによりマイクロ波を用いて人の存否を感知するので、ガスレンジの炎やガスレンジ付近の熱による誤動作を防止してガスレンジ周辺の人の存否を人感センサにより確実に感知でき、正確に人の不在状態を検出できる。この人感センサから出力される人感信号に基づいて、ガスレンジ周辺に人が不在の状態が継続する不在時間をタイマーにより計測すれば、不在状態が継続した不在時間を精度よく計測できる。
【００１０】
そのため、炎センサから出力される炎感知信号に基づいて炎の存在を感知した状態で、このような人感センサによる人感信号に基づいて計測された不在時間を用い、不在時間が第１設定時間を超えたときに警告部から警告を出力すれば、警告の信頼性を向上することができ、警告によりガスレンジ周辺に人が戻ることを確実に促すことができる。
【００１１】
そしてこの不在時間が第１設定時間より長い第２設定時間を超えたときにガスレンジへのガスの供給を停止するように構成すれば、警告に促されて第２設定時間前にガスレンジ周辺に人が戻った場合には、正確に人の存在が感知されることで不在状態が解消されたことを正しく検出でき、ガスレンジへのガスの供給を停止することなく、安全にガスの供給を継続させることで人が円滑に作業を行うことができる。
【００１２】
一方、警報を出力した後も人感センサによりガスレンジ周辺の人の不在状態が感知された状態が継続して第２設定時間を超えたときには、ガスレンジへのガスの供給を適切に停止でき、周辺の人が不在状態のままガスレンジに長時間炎が存在するような危険を確実に防止できる。
【００１３】
その結果、ガスレンジに炎が存在する状態で人が円滑に作業できるとともに信頼性の更なる向上を図ることが可能なガスレンジ制御システムを提供することが可能である。
【００１４】
また本考案のガスレンジ制御システムにおいて、炎センサと人感センサとタイマーと警告部と制御装置とが筐体内に収容されて一体化されていれば、ガスレンジの設置場所付近に筐体を設置するだけで、これらのガスレンジ制御システムの構成全体を設置することができ、容易にガスレンジ制御システムの設置作業を行うことが可能である。
【図面の簡単な説明】
【００１５】
【図１】本考案の実施の形態におけるガスレンジ制御システムの構成を示した図である。
【図２】本考案の実施の形態におけるガスレンジ制御システムによるガスレンジへのガス供給の遮断動作の流れを示すフローチャートである。
【図３】本考案の実施の形態におけるガスレンジ制御システムの人感センサ、炎センサ、警告部、ガス遮断弁の動作を示すタイムチャートである。
【考案を実施するための形態】
【００１６】
以下、図を用いて、本実施形態のガスレンジ制御システムの構成について説明を進める。
＜構成＞
図１は、本考案の実施形態におけるガスレンジ制御システムの構成を示した図である
【００１７】
図示するように、ガスレンジ制御システムは、ガスレンジ１が備えるバーナ（図示せず）の炎を感知する炎センサ１０と、ガスレンジ１周辺の人を感知する人感センサ２０と、炎センサ１０及び人感センサ２０による感知結果に基づいてガスレンジ１へのガスの供給を制御するガスレンジ制御装置３０と、ガスレンジ１へのガスの供給を遮断するためのガス遮断弁４０と、ガスレンジ制御装置３０の制御によりガス遮断弁４０を開閉するするガス遮断弁操作部５０と、を備える。
【００１８】
さらに、人感センサ２０による感知結果に基づいて時間を計測するタイマー６０と、炎センサ１０の感知結果及びタイマー６０の計測結果に基づいて警告音を出力する警告部７０と、を備えている。
【００１９】
本実施形態では、炎センサ１０、人感センサ２０、ガスレンジ制御装置３０、タイマー６０、及び警告部７０が一つの筐体に収容された制御ユニット１００として構成されており、ガスレンジ１付近の天井や壁面に設置可能となっている。
なお、炎センサ１０、人感センサ２０、ガスレンジ制御装置３０、タイマー６０及び警告部７０は、ユニットとして一体になった構成でなくてもよい。
【００２０】
本実施形態に係るガスレンジ制御システムには、さらに、ガスレンジ１へガスを供給するガス供給管ＧＰ１，ＧＰ２において、ガス漏れを検知するためのガス漏れ検知器８０と、ガスレンジ１を原因とする火災の発生を未然に防止するために、ガス遮断弁４０の開閉情報及びガス漏れ検知器８０の検知結果を防災センタに報知する防災センタ報知装置９０と、を備えている。
【００２１】
このようなガスレンジ制御システムにおいて、まず、炎センサ１０は、ガスレンジ１が備えるバーナの炎の存否を感知して炎感知信号をガスレンジ制御装置３０へ出力するセンサである。
この炎センサ１０は、ガスレンジ１が備えるバーナの炎から放射される熱線、赤外線又は紫外線等により火炎を感知する素子を有し、バーナの炎の存在を感知したとき、炎感知信号をガスレンジ制御装置３０へ出力するように構成されている。
【００２２】
人感センサ２０は、マイクロ波を用いてガスレンジ１周辺の人の存否を感知して人感信号をガスレンジ制御装置３０へ出力するセンサである。
本実施形態の人感センサ２０は、ガスレンジ１周辺の所定領域にマイクロ波を発信して反射波を受信することで、周囲の温度に影響されることなく人の存在を高精度で感知可能なものであり、人の存在を感知したときに人感信号をガスレンジ制御装置３０へ出力するように構成されている。
【００２３】
タイマー６０は、ガスレンジ１周辺に人が不在の状態を継続する時間を不在時間ｔａとして計測するもので、本実施形態のタイマー６０は、ガスレンジ制御装置３０に入力される人感信号が入力状態から停止状態に変化した時点からの経過時間を計測し、その経過時間を不在時間ｔａとしてガスレンジ制御装置３０へ伝達するように構成されている。
【００２４】
警告部７０は、ガスレンジ制御装置３０に伝達されるタイマー６０で計測される不在時間ｔａに基づいて警報ブザー等の警報音を出力するように構成されている。
【００２５】
ガスレンジ制御装置３０は、炎センサ１０から入力される炎感知信号と、人感センサ２０から入力される人感信号と、タイマー６０から伝達される不在時間ｔａと、に基づいて警告部７０の出力及びガス遮断弁操作器５０の開閉を制御するように構成された制御装置である。
【００２６】
具体的には、ガスレンジ制御装置３０は、炎感知信号によりガスレンジ１のバーナに炎の存在を感知した状態において、タイマー６０で計測された不在時間ｔａが、予めガスレンジ制御装置３０に設定された第１設定時間ｔ１を超えたときに、警告部７０から警告を出力するように構築されている。第１設定時間ｔ１は予め任意に設定可能であり、例えば０秒〜数百秒の範囲で設定可能である。
【００２７】
さらにこのガスレンジ制御装置３０は、バーナの炎の存在を感知した状態で、第１設定時間ｔ１を経過後も人の不在状態が継続し、予めガスレンジ制御装置３０に第１設定時間ｔ１より長く設定された第２設定時間ｔ２を超えたときに、ガス遮断弁操作器５０によりガス遮断弁４０を閉じてガスレンジ１ａへのガスの供給を停止するように構築されている。第２設定時間ｔ２も予め任意に設定可能であり、例えば０秒〜数百秒の範囲で設定可能である。
【００２８】
ガス遮断弁４０は、ガスレンジ１へガスを供給するガス供給管ＧＰ１，ＧＰ２に設けられている弁であり、開弁時は当該ガス供給管ＧＰ１，ＧＰ２の流路を開放し、閉弁時にはガスレンジへのガス供給を遮断する。
【００２９】
ガス遮断弁操作器５０は、ガス遮断弁４０の開閉弁を操作する機器である。上記ガスレンジ制御装置３０から閉弁の制御信号が入力されると、自動的にガス遮断弁４０を閉弁し、ガスレンジへのガス供給を遮断する。
また、ガス遮断弁操作器５０に設けられているスイッチ等を操作することにより、手動でガス遮断弁４０の開閉弁を行うことができるよう構成されている。
【００３０】
防災センタ報知装置９０は、ガスレンジが設置されている場所から所定距離離れた防災センタに設けられた装置であり、上記ガス遮断弁操作器５０とネットワークで接続されている。
防災センタ報知装置９０は、例えば、汎用の情報処理装置（ＰＣ、携帯端末）や電子表示板（掲示板）等で構成される。
ガス遮断弁操作器５０は、ガス遮断弁４０の現在の開閉弁の状態を監視し、その開閉状態を示す信号をネットワークを介して防災センタ報知装置９０へ送信する。
【００３１】
また、ガス遮断弁操作器５０は、上記ガス供給管ＧＰ１，ＧＰ２のガス漏れがある場合はその旨を示す警報信号をネットワークを介して防災センタ報知装置９０へ送信する。
防災センタ報知装置９０は、上記開閉状態を示す信号又はガス漏れが発生した旨の警報信号を受信すると、当該状態を防災センタにおいて報知する。この報知方法としては、例えば、防災センタ報知装置９０が有する表示装置上に表示し、又は音声でスピーカから出力して行う。
【００３２】
ガス漏れ検知器８０は、ガスレンジへガスを供給するガス供給管ＧＰ１，ＧＰ２におけるガス漏れを検知する機器である。
ガス漏れ検知器８０は、上記ガス遮断弁４０閉弁後に、ガスレンジとガス遮断弁４０の間のガス供給管ＧＰ１内に燃料ガスよりも高い圧力の不燃性ガス（例えば窒素）を封入して、ガスレンジとガス遮断弁４０の間のガス供給管ＧＰ１内のガスの圧力を計測する。このとき、ガスレンジとガス遮断弁４０の間のガス供給管ＧＰ１の一部から外部にガスが漏れて当該ガスの圧力が低下し、所定値以下となった場合、ガス漏れ検知器８０はガス供給管ＧＰ１外部へガス漏れが発生したことを検知する。
【００３３】
また、上記ガス封入後にガス遮断弁４０に不具合が生じ、ガスレンジとガス遮断弁４０の間のガス供給管ＧＰ１内のガスが、ガス遮断弁４０よりガス供給側（ガスレンジと反対側）に漏れて、当該ガス遮断弁４０よりガス供給側のガス供給管ＧＰ２内のガスの圧力が所定値以上となった場合、ガス供給管ＧＰ１，ＧＰ２内の遮断が不十分であることを検知する。
【００３４】
＜動作＞
図２は、本考案の実施形態におけるガスレンジ制御システムのガスレンジ制御装置によるガスレンジへのガス供給の遮断動作の流れを示すフローチャートであり、図３はその際の人感センサ２０、炎センサ１０、警告部７０、ガス遮断弁４０の各動作を示すタイムチャートである。
【００３５】
まず無人の状況Iでは、ガス遮断弁４０は開弁した状態であり（ステップＳ１）、警告部７０はオフ状態となっている（ステップＳ２）。ガスレンジ１が備えるバーナには炎は存在せず、当該ガスレンジ１周囲には人は存在しない。
【００３６】
スタッフが入室した状況IIでは、スタッフがガスレンジ１を利用するためにガスレンジ１周辺の所定領域に入ることで、人感センサ２０により人の存在を感知して（ステップＳ３／Ｙｅｓ）、ガスレンジ１ａ周辺の人の存否の監視が開始される。この状況ＩＩでは炎センサ１０、警告部７０、及びガス遮断弁４０は状況Iから変化しない。
【００３７】
次に、スタッフが作業を開始した状況IIIでは、スタッフが、ガスレンジ１が備えるバーナを着火して調理を開始することで、炎センサ１０がバーナの炎を感知してガスレンジ１のバーナの炎の監視が開始される。スタッフがそのままガスレンジ１周辺で作業する場合には、人感センサ２０の監視が継続され（ステップＳ３／Ｙｅｓ）、ガスレンジ１の利用を継続できる。状況IIIでは警告部７０及びガス遮断弁４０は状況Ｉ及び状況ＩＩからは変化しない。
【００３８】
その後、スタッフが移動して作業を行う状況ＩＶでは、スタッフがガスレンジ１周辺から離れることで、人感センサ２０により人の不在が感知される（ステップＳ３／Ｎｏ）。
このときガスレンジ１の火が消えていれば、炎センサ１０により炎の不在が感知されるため（ステップＳ４／Ｎｏ）、スタッフが再度バーナに着火して使用を再開できる。
【００３９】
一方、ガスレンジ１の火が付いたまま、スタッフがガスレンジ１周辺から離れた場合には、状況ＩＶａとなり、人感センサ２０により人の不在が感知されるとともに（ステップＳ３／Ｎｏ）、炎センサ１０により炎の存在が感知される（ステップＳ４／Ｙｅｓ）。
これによりガスレンジ１周辺において人の不在状態が継続する不在時間ｔａがタイマー６０により計測される。不在時間ｔａが第１設定時間ｔ１を超えるまでの短時間の間は、その状態が保たれる（ステップＳ５／Ｎｏ）。
この不在時間ｔａが第１設定時間ｔ１を超えたことが判定されたとき（ステップＳ５／Ｙｅｓ）、警告部７０がオン状態となることで警報音が出力される（ステップＳ６）。
【００４０】
警告部７０の作動後、例えば警報音に促されてスタッフが戻ると、人感センサ２０により人の存在が感知されることで（ステップＳ７／Ｙｅｓ）、不在時間ｔａの計測を終了しつつ警告部７０がオフ状態となって警報音の出力が停止され（ステップＳ２）。これによりシステムが第１段階に復帰して再び制御が継続され、人感センサ２０及び炎センサ１０による監視が継続される（ステップＳ３、Ｓ４）。
【００４１】
一方、警告部７０の作動後、ガスレンジ１周辺にスタッフが戻らない場合には、状況ＩＶｂとなり、人感センサ２０により人の存在が感知されない（ステップＳ７／Ｎｏ）。この場合、ガスレンジ１のバーナが消火されたことが炎センサ１０により感知されて状況Ｉに復元する場合（ステップＳ８／Ｎｏ）を除く他、炎センサ１０によりガスレンジ１のバーナの炎が感知され（ステップＳ８／Ｙｅｓ）、ガスレンジ１周辺における人の不在状態が継続する不在時間ｔａがタイマー６０により計測される。
【００４２】
そして、不在時間ｔａが第１設定時間ｔ１より長い第２設定時間ｔ２を超えるまでの短時間の間は、その状態が保たれるが（ステップＳ９／Ｎｏ）、不在時間ｔａが第２設定時間ｔ２を超えたことが判定されると（ステップＳ９／Ｙｅｓ）、警告部７０をオフ状態にして警報音の出力を停止した上で、ガスレンジ制御装置３０からガス遮断弁操作器５０へ遮断信号が出力されて、ガス遮断弁操作器５０がガス遮断弁４０を閉弁し、ガスレンジ１へのガス供給が遮断される（ステップＳ１０）。
【００４３】
その後、ガス遮断弁操作器５０からガス遮断弁４０を閉弁したことを示す信号を防災センタ報知装置９０へ出力し、防災センタ報知装置９０は、表示又は音声出力により、ガス供給が遮断されたことを防災センタに報知する。
【００４４】
＜作用効果＞
以上のようなガスレンジ制御システムによれば、人感センサ２０によりマイクロ波を用いて人の存否を感知するので、ガスレンジ１の炎やガスレンジ１付近の熱による誤動作を防止してガスレンジ１周辺の人の存否を人感センサ２０により確実に感知でき、正確に人の不在状態を検出できる。
この人感センサ２０から出力される人感信号に基づいて、ガスレンジ１周辺に人が不在の状態で継続する不在時間ｔａをタイマー６０により計測すれば、不在状態が継続した不在時間ｔａを精度よく計測できる。
【００４５】
そのため、炎センサ１０から出力される炎感知信号に基づいて炎の存在を感知した状態で、このような人感センサ２０による人感信号に基づいて計測された不在時間ｔａを用い、不在時間ｔａが第１設定時間ｔ１を超えたときに警告部７０から警告を出力すれば、警告の信頼性を向上することができ、警告によりガスレンジ１周辺に人が戻ることを確実に促すことができる。
【００４６】
そしてこの不在時間ｔａが第１設定時間ｔ１より長い第２設定時間ｔ２を超えたときにガスレンジ１へのガスの供給を停止するように構成すれば、警告に促されて第２設定時間ｔ２前にガスレンジ１周辺に人が戻った場合には、正確に人の存在が感知されることで不在状態が解消されたことを正しく検出でき、ガスレンジ１へのガスを供給を停止することなく、安全にガスの供給を継続してガスレンジ１の炎の存在を継続して人が円滑に作業できる。
【００４７】
一方、警報を出力した後も人感センサ２０によりガスレンジ１周辺の人の不在状態が感知された状態で継続して第２設定時間ｔ２を超えたときには、ガスレンジ１へのガスの供給を適切に停止でき、周辺の人が不在状態のままガスレンジ１に長時間炎が存在するような危険を確実に防止できる。
その結果、ガスレンジ１に炎が存在する状態で人が円滑に作業できるとともに信頼性の更なる向上を図ることが可能である。
【００４８】
また、本実施形態のガスレンジ制御システムによれば、炎センサ１０と、人感センサ２０と、タイマー６０と、警告部７０と、ガスレンジ制御装置３０とが一体化された制御ユニット１００であることから、この制御ユニット１００を、ガスレンジの設置場所付近に設置するだけで、これらのガスレンジ制御システムの構成全体を設置することができ、容易にガスレンジ制御システムの設置作業を行うことが可能である。
【００４９】
なお、上記の実施形態は本考案の好適な実施の一例であり、本考案はこれに限定されるものではなく、本考案の要旨を逸脱しない範囲において種々変形して実施することが可能である。
例えば上記実施形態では、ガスレンジ制御システムが炎センサ１０及び人感センサ２０を１つずつ有している例について説明したが、複数有して構成されてもよい。
炎センサ１０を複数有する場合、その複数の炎センサ１０のいずれかがガスレンジの炎を感知していれば、炎を感知したとしてガスレンジ制御装置３０へその旨の感知信号を出力することができる。
また、人感センサ２０を複数有する場合は、その複数の人感センサ２０のいずれかがガスレンジ周辺の人の存在を感知していれば、人の存在を感知したとしてガスレンジ制御装置３０へその旨の感知信号を出力することができる。
【００５０】
さらに上記実施形態では、制御ユニット１００に炎センサ１０と人感センサ２０とタイマー６０と警告部７０とガスレンジ制御装置３０との全てが制御ユニット１００内に収容された例について説明したが、特に限定されるものではない。例えばこれらの一部又は全部を別々に設置することも可能である。また炎センサ１０や人感センサ２０を複数用い、一部の炎センサ１０や人感センサ２０を制御ユニット１００に収容し、残部を筐体１０１外に設置して筐体１０１内のガスレンジ制御装置３０等と接続してもよい。
【００５１】
また本実施形態では、炎センサ１０、人感センサ２０、ガスレンジ制御装置３０を、アナログ回路により構成した、主にＣＰＵとメモリにロードされたプログラム及びそれ以外の任意のハードウェアの組合せによって上記各機器を構成することも可能であり、その設計自由度の高さは当業者には容易に理解されるところである。
【符号の説明】
【００５２】
１  ガスレンジ
１０  炎センサ
２０  人感センサ
３０  ガスレンジ制御装置
４０  ガス遮断弁
５０  ガス遮断弁操作器
６０  タイマー
７０  警告部
８０  ガス漏れ検知器
９０  防災センタ報知装置
１００  制御ユニット
ＧＰ１，ＧＰ２  ガス供給管
【図１】
0003219602.tif 000003
【図２】
0003219602.tif 000004
【図３】
0003219602.tif 000005